(57)【要約】【課題】先端部の先細りに塗布液の溜まりを残すことができ、しかも1本1本の塗布対象毛が先端部の先細りの間にスムーズに入り込むことができ、塗布対象毛に対して十分に多量の塗布液を塗布できる。【解決手段】樹脂繊維により形成されたブラシ毛材３によって塗布対象毛に塗布液を塗布する液塗布具１であり、少なくとも一部のブラシ毛材３の先端部３aは、熱加工により溶融して延び先細り3bに形成された形状を有する。先端部３aの先細り3bは、先細り基部3b1の幅より、先細り基部3b1から先端までの長さが長い。また、先端部３aが、曲がった形状を有し、先端部３aの先細り3bが、割れた形状を有する。【選択図】図２
2008307304.tif 000002
【特許請求の範囲】
【請求項１】
熱により溶融する樹脂繊維により形成されたブラシ毛材によって塗布対象毛に塗布液を塗布する液塗布具であり、
少なくとも一部の前記ブラシ毛材の先端部は、熱加工により溶融して延び先細りに形成された形状を有することを特徴とする液塗布具。
【請求項２】
前記先端部の先細りは、先細り基部の幅より、先細り基部から先端までの長さが長いことを特徴とする請求項1に記載の液塗布具。
【請求項３】
前記先端部が、曲がった形状を有することを特徴とする請求項1または請求項２に記載の液塗布具。
【請求項４】
前記先端部の先細りが、割れた形状を有することを特徴とする請求項1乃至請求項3のいずれか1項に記載の液塗布具。
【発明の詳細な説明】
【技術分野】
【０００１】
この発明は、液塗布具に関し、特にマスカラブラシや毛染め用ブラシのように塗布対象毛にマスカラや毛染め液などの塗布液を塗布する場合に適用して好適な液塗布具に関する。
【背景技術】
【０００２】
従来、この種の液塗布具として、例えばマスカラブラシは、ブラシの１本のブラシ毛材の先端を刃物で直角か斜めにカットしてあるか、あるいはブラシ毛材の先端を球状に加工してあるものなどがある（特許文献１）。
【特許文献１】実開平３−８１０１８号公報
【発明の開示】
【発明が解決しようとする課題】
【０００３】
このように、マスカラブラシの１本のブラシ毛材の先端が刃物でカットしたり、また球状に加工されているものでは、例えばまつ毛にマスカラ液を塗布するとき、ブラシ毛材の先端のカット部分や球状部分に、まつ毛が当たって乗り上げてしまいマスカラブラシの中にまつ毛が入りにくい。
【０００４】
まして、近年マスカラブラシはマスカラ液を多量に塗布してボリウム感を満たすためにブラシ毛材が１巻き当たり平均的に３０本以上求められているものがあるが、特にこのようなマスカラブラシでは、ブラシ毛材が密集している上をまつ毛が滑るように移動してしまうことから、マスカラブラシを横左右に揺らせながら使用せざるを得ないなど不便であった。
【０００５】
この発明は、以上の点を考慮してなされたもので、先端部の先細りに塗布液の溜まりを残すことができ、しかも1本1本の塗布対象毛が先端部の先細りの間にスムーズに入り込むことができ、塗布対象毛に対して十分に多量の塗布液を塗布できるようにした液塗布具を提供することを目的としている。
【課題を解決するための手段】
【０００６】
前記課題を解決し、かつ目的を達成するために、この発明は、以下のように構成した。
請求項１に記載の発明は、樹脂繊維により形成されたブラシ毛材によって塗布対象毛に塗布液を塗布する液塗布具であり、
少なくとも一部の前記ブラシ毛材の先端部は、熱加工により溶融して延び先細りに形成された形状を有することを特徴とする液塗布具である。
【０００７】
請求項２に記載の発明は、前記先端部の先細りは、先細り基部の幅より、先細り基部から先端までの長さが長いことを特徴とする請求項1に記載の液塗布具である。
【０００８】
請求項３に記載の発明は、前記先端部が、曲がった形状を有することを特徴とする請求項1または請求項２に記載の液塗布具である。
【０００９】
請求項４に記載の発明は、前記先端部の先細りが、割れた形状を有することを特徴とする請求項1乃至請求項3のいずれか1項に記載の液塗布具である。
【発明の効果】
【００１０】
前記構成により、この発明は、以下のような効果を有する。
【００１１】
請求項１に記載の発明では、少なくとも一部のブラシ毛材の先端部は、熱加工により溶融して延び先細りに形成された形状を有しており、この先端部の先細りに塗布液の溜まりを残すことができ、しかも1本1本の塗布対象毛が先端部の先細りの間にスムーズに入り込むことができるために、塗布対象毛に対して十分に多量の塗布液を塗布できる。
【００１２】
請求項２に記載の発明では、先端部の先細りは、先細り基部の幅より、先細り基部から先端までの長さが長いことから、この先端部の長い先細りに塗布液の溜まりを十分に残すことができ、しかも1本1本の塗布対象毛が先端部の先細りの間によりスムーズに入り込むことができるために、塗布対象毛に対して十分に多量の塗布液を塗布できる。
【００１３】
請求項３に記載の発明では、先端部が、曲がった形状を有し、例えば弓状になっていたり、鋭角に曲がったりしていることで、塗布対象毛に絡ませて塗布効果を上げたり、曲げるカール効果をもたらすことができる。
【００１４】
請求項４に記載の発明では、先端部の先細りが、割れた形状を有し、この先端部の先細りの割れにより塗布液の過剰塗布多の除去と目元や目尻などの微細塗布の効果をもたらすことができる。
【発明を実施するための最良の形態】
【００１５】
以下、この発明の液塗布具の実施の形態について説明する。この発明の実施の形態は、発明の最も好ましい形態を示すものであり、この発明はこれに限定されない。
【００１６】
この実施の形態の液塗布具１を、図１に基づいて説明する。この実施の形態の液塗布具１は、キャップ４に芯材2が取り付けられ、この芯材2に植毛されたブラシ毛材３によって塗布対象毛に塗布液を塗布するものである。ブラシ毛材３の素材としてはポリアミド、ポリエステル、ポリアクリル、ポリエチレンテレフタレートなどの熱で溶融する樹脂繊維が可能である。
【００１７】
芯材２は、１本の線材を中央部で折曲げ、その間に多数のブラシ毛材３に配置し、捩ることで植毛しているが、芯材２は、一対の別々の線材でもよい。ブラシ毛材３は芯部２のブラシ軸線L1に対して、外側半径方向へ延在し、先端部３aは曲がった形状を有するが、先端部３aは曲がった形状でなくても良く、また曲がった形状と曲がらない形状を混在させても良い。
【００１８】
図2乃至図８はブラシ毛材３の先端部３aの拡大であり、図2は拡大側面図、図３は拡大平面図、図4は拡大正面である。図５はブラシ毛材３の他の実施の形態の断面図、図６は他の実施の形態の拡大側面図、図７は他の実施の形態の拡大側面図、図８は他の実施の形態の拡大正面である。
【００１９】
少なくとも一部のブラシ毛材3は断面円形の樹脂繊維糸であり、その先端部３aは、熱加工により溶融して延び先細り３ｂに形成された形状を有する。ブラシ毛材3は断面円形の樹脂繊維糸に限らず、図5に示すような種々の断面形状のものが用いられる。図５（a）はH形、図５（ｂ）はY形、図５（c）は菱形、図５（ｄ）は−形、図５（e）は十字形、図５（f）はI形、図５（g）は四角パイプ形、図５（ｈ）は六角形、図５（i）はV形、図５（j）は楕円形、図５（ｋ）は円形パイプ形、図５（l）は四角形、図５（m）はU形、図５（n）はT形、図５（o）はS形である。
【００２０】
ブラシ毛材3の先端部３aの先細り３ｂは、図2に示すように、先細り基部３ｂ１の幅D1より、先細り基部3b1から先端までの長さD2が長い。先端部３aの先細り３ｂは、側面から見て直角三角形になっているが、二等辺三角形になっているものでもよい。
【００２１】
また、図６の実施の形態では、先端部３aが曲がった形状を有する。図６（a）では、側面から見てカラス口のように鋭角に曲がってヒッカケ形状をしているが、図６（b）では、弓状に曲がった形状である。
【００２２】
また、ブラシ毛材3の先端部３aは、図６の実施の形態に限らず、図７に示すように種々の向きや形状に形成される。図７（a）はブラシ毛材3の先端部３aがV形キャップ側向きで、先細り３ｂの長さが異なっている。図７（ｂ）はブラシ毛材3の先端部３aがV形キャップ側向きで、先細り３ｂの長さが異なっている。図７（ｃ）はブラシ毛材3の先端部３aがブラシ先向きで、先細り３ｂの長さが異なっている。図７（ｄ）はブラシ毛材3の先端部３aがキャップ側向きで、先細り３ｂの長さが異なっている。図７（e）はブラシ毛材3の先端部３aが平行で、先細り３ｂの長さが異なっている。
【００２３】
先端部３aの先細り３ｂは、長さは短くてもブラシ毛材3の幅D1、すなわち直径の1/2以上の長さD2を有し、長いもので例えば5.0ｍｍまでの長さを有する。また、先端部３aの先細り３ｂが、割れた形状を有し、割れ3b2は種々の形状になっている。さらに、図8に示すように、割れない形状、または割れた形状など種々の形状に形成され、図８（a）, （f）, （k）, （l）, （p）, （s）, （t）は割れない形状であり、図８（ｂ）, （ｃ）, （ｄ）, （e）, （g）, （h）, （i）、（ｊ）, （ｍ）, （ｎ）, （o）, （q）, （r）, （u）,（v）, （w）, （x）, （y）, （z）は割れた形状であり、２本又は３本に割れているが、５本、６本と扇状に割れているものもある。
【００２４】
次に、この実施の形態の液塗布具１の製造を、図９に基づいて説明する。この実施の形態の液塗布具１を製造するには、例えば液塗布具１を製造する最終段階において、ブラシ毛材３の先端を切断して所定の形状に揃えた後に、図９(a)に示すように、ブラシ毛材３を撓ませるようにして、その先端部３aを加熱冶具10に当て矢印方向に移動する。
【００２５】
先端部３aの加熱冶具10に当たっている部分は、図９(ｂ)に示すように、熱によって軟化して溶融し、この溶融している部分は加熱冶具10に付着し、溶け始めた先端部３aを移動させることで溶けた部分が延ばされる。このように先端部３aが軟化して溶けることと溶けた部分を引っ張りながら移動させる一連の動作で行うことで、ブラシ毛材３の先端部３aが熱加工により溶融して延び先細り３ｂに形成された形状になる。
【００２６】
先端部３aの先細り３ｂを長くする場合には、加熱冶具10に当てる部分の長さを長くする。また、ブラシ毛材３の蟹足状を細目にしようとする場合は、加熱冶具10に当てるブラシ毛材３の長さを長くすればよいし、細目に長くする場合は、融点を高くして引っ張りながら移動させる。先端部３aは、先細り３ｂの必要な長さを確保した位置で、図９(ｃ)に示すように、加熱冶具10から外す。ブラシ毛材３は、樹脂繊維が例えば直径が0.3ｍｍから0.04ｍｍという細い糸であるから加熱冶具10内の空冷や加熱冶具10外からの水冷などに精密な条件が要求される。例えば、成型条件として、加熱冶具10の形状や材質、加熱冶具10内の温度、冷却方法、またブラシ毛材3の種類、太さ、液塗布具1の形状、毛量、成形時の糸張りと移動速度などがあり、成型条件と形状製作は瞬間の諸条件が要求され、これによりブラシ毛材３の先端部３aは、熱加工により溶融して延び先細り３ｂに形成され、先端部３aを、例えば図８に示すような種々の形状に成形することができる。
【００２７】
次に、この実施の形態の液塗布具１の使用を、図１０に基づいて説明する。この実施の形態の液塗布具１を、マスカラ用ブラシとして使用する場合には、図１０（a）に示すように、塗布液容器２０から液塗布具１を引き出すときに、塗布液９０を多量に保持できる。すなわち、液塗布具１のしごき落後は、ブラシ毛材３の先端部３aが熱加工により溶融して延び先細り３ｂに形成された形状を有しているために、図１０（b）に示すように、塗布液９０が芯材２の近傍まで入り込み、また先端部３aの先細り３ｂに塗布液９０の溜まりを残すことができる。
【００２８】
したがって、例えば、図１０（b）,(ｃ)に示すように、マスカラ液の塗布液９０がまつ毛８０に塗布されるとき、1本1本の塗布対象毛のまつ毛８０が先端部３aの先細り３ｂで先端が尖っていることで、また先端が薄くなっていることで、先細り３ｂの間にスムーズに入り込むことができる。このため、芯材２の近傍の塗布液９０までも塗布でき、しかも先細り３ｂに溜まっている塗布液９０も塗布でき、まつ毛８０に対して十分に多量の塗布液９０を塗布できる。
【００２９】
この先端部３aの先細り３ｂは、先細り基部３ｂ１の幅より、先細り基部３ｂ１から先端までの長さが長いことから、この先端部３aの長い先細り３ｂに塗布液９０の溜まりを十分に残すことができ、しかも1本1本のまつ毛８０が先端部３aの先細り３ｂの間によりスムーズに入り込むことができる。
【００３０】
また、先端部３aの先細り３ｂが、割れた形状を有しており、この先端部３aの先細り３ｂの割れ３ｂ2により塗布液９０の過剰塗布多の除去と目元や目尻の微細塗布の効果をもたらすことができる。
【００３１】
また、液塗布具１は、先端部３aの先細り３ｂに加工された部分と加工されない部分が混在したり、先端部３aの長い先細り３ｂと、短い先細り３ｂが混在したり、さらに先細り３ｂが割れたものと、割れないものが混在することがある。このような液塗布具１では、それぞれの不規則な形状が混在することによる相剰効果によってまつ毛８０の束のほぐしや液溜りの修正や矯正等々繊細な塗布感が得られる。
【００３２】
さらに、先端部３aが曲がった形状を有することで、例えば蟹足にように弓なりになっていたり、カラス口のように鋭角に曲がったりし、この複合した先端がまつ毛８０を上にあげるカール効果をもたらすことができる。
【００３３】
この実施の形態の液塗布具１は、図1乃至図10に示すような捩りブラシに限定されず、図11に示すように、芯材2を複数本の線材とし、この線材の間にブラシ毛材３を多数並べて配置し、線材を捩ることで形成した捩りブラシを成形し、このブラシ毛材３に適用できる。この捩りブラシでは、図12乃至図１５に示すような実施の形態とすることができる。
【００３４】
図12の実施の形態では、先端部3aがキャップ4の方向を向いている形態を示しており、塗布液容器から液塗布具１を引き出すときに、塗布液を多量に保持できる。図1３の実施の形態では、先端部3aがブラシ先端方向を向いている形態を示し、使用に応じた種々のブラシ形状である。図12及び図１３の実施の形態で、図14で示すようにブラシ軸方向に複数の溝３cを有する形態としてもよく、この溝3cに塗布液が溜まり易くなる。図１５は先端部3aがブラシ軸線回りに向いている形態を示し、図１５（a）は先端部3aの全て右方向を向いており、図１５（ｂ）は先端部3aの一部が右方向を向いているが、この実施の形態では左方向に向いていても良い。
【００３５】
この実施の形態の液塗布具１は、図16に示すような埋め込みブラシにも適用でき、例えば髪の毛を染めるブラシに用いられる。図16（a）は芯材２を樹脂で成形し、多数のブラシ毛材３を複数列に埋め込み、図16（ｂ）は多数のブラシ毛材３を１列に埋め込み、ブラシ毛材３の先端部は熱加工により溶融して延び先細りに形成された形状を有するが、先端は任意の方向に向かせることができるが、向かせなくてもよい。
【００３６】
また、この実施の形態の液塗布具１は、図1７に示すような一体成形のブラシにも適用でき、例えば髪の毛を染めるブラシに用いられる。図1７（a）は芯材２を棒状の樹脂で成形し、芯材２の周りに多数のブラシ毛材３を複数列に一体に形成し、図1７（ｂ）は芯材２を板状の樹脂で成形し、芯材２の一面に多数のブラシ毛材３を複数列に一体に形成し、この実施の形態ではブラシ毛材３の先端部は熱加工により溶融して延び先細りに形成された形状を有するが、任意の方向に向かせることができが、向かせなくてもよい。
【産業上の利用可能性】
【００３７】
この発明は、特にマスカラブラシや毛染め用ブラシのように塗布対象毛にマスカラや毛染め液などの塗布液を塗布する場合に適用して好適な液塗布具に適用可能であり、先端部の先細りに塗布液の溜まりを残すことができ、しかも1本1本の塗布対象毛が先端部の先細りの間にスムーズに入り込むことができ、塗布対象毛に対して十分に多量の塗布液を塗布できる。
【図面の簡単な説明】
【００３８】
【図１】実施の形態の液塗布具の斜視図である。
【図２】ブラシ毛材の先端部の拡大側面図である。
【図３】ブラシ毛材の先端部の拡大平面図である。
【図４】ブラシ毛材の先端部の拡大正面である。
【図５】先端部の他の実施の形態の断面図である。
【図６】先端部の他の実施の形態の拡大側面図である。
【図７】先端部の他の実施の形態の拡大側面図である。
【図８】先端部の他の実施の形態の拡大正面である。
【図９】実施の形態の液塗布具の製造を説明する図である。
【図１０】実施の形態の液塗布具の使用を説明する図である。
【図１１】他の実施の形態の液塗布具の製造を説明する図である。
【図１２】他の実施の形態の液塗布具の概略側面図である。
【図１３】他の実施の形態の液塗布具の概略側面図である。
【図１４】他の実施の形態の液塗布具の概略平面図である。
【図１５】他の実施の形態の液塗布具の概略平面図である。
【図１６】埋め込みブラシに適用した実施の形態の液塗布具の斜視図である。
【図１７】一体成形のブラシに適用した実施の形態の液塗布具の斜視図である。
【符号の説明】
【００３９】
１  液塗布具
２  芯材
３  ブラシ毛材
３a  先端部
３b  先細り
3b1  先細り基部
3b２  割れ
【図１】
2008307304.tif 000003
【図２】
2008307304.tif 000004
【図３】
2008307304.tif 000005
【図４】
2008307304.tif 000006
【図５】
2008307304.tif 000007
【図６】
2008307304.tif 000008
【図７】
2008307304.tif 000009
【図８】
2008307304.tif 000010
【図９】
2008307304.tif 000011
【図１０】
2008307304.tif 000012
【図１１】
2008307304.tif 000013
【図１２】
2008307304.tif 000014
【図１３】
2008307304.tif 000015
【図１４】
2008307304.tif 000016
【図１５】
2008307304.tif 000017
【図１６】
2008307304.tif 000018
【図１７】
2008307304.tif 000019